(57)【特許請求の範囲】
【請求項１】
外ケースと、前記外ケース内に設けられる内ケースと、前記内ケース内に設けられる内鍋と、前記内鍋を加熱する電磁誘導コイルと、操作基板と、電源基板と、前記操作基板と前記電源基板とを接続する電線を有する炊飯器であって、
前記外ケースと前記電線との間に絶縁性を有する樹脂製のカバー部材を有し、
前記カバー部材は、前記外ケースに対向し上下方向に伸びる第１壁部と、前記第１壁部の上端から下方で下端から上方の内側面より内方に向かって水平方向に伸びる第２壁部とを有し、
前記第２壁部は、上下方向に貫通する貫通孔を有し、
前記操作基板と前記電源基板とを前記電線で結ぶ接続時、前記電線は、前記貫通孔を通り、前記貫通孔で係止されるとともに、前記第１壁部の内側を沿うように上下に伸びることを特徴とする炊飯器。
【発明の詳細な説明】
【技術分野】
【０００１】
本願発明は、加熱手段として電磁誘導コイルを用いる炊飯器に関するものである。
【背景技術】
【０００２】
最近の炊飯器は、多くの便利な機能が付加されている。例えば、加熱手段として電磁誘導コイル等からなる誘導加熱方式もその一つであり、効率的な炊飯制御並びにその後の長時間に亘る的確な保温制御を行うことができる等、非常に使い勝手の良い製品の一つとなっている。
【０００３】
加熱手段として電磁誘導コイルからなる誘導加熱方式を採用する炊飯器は、多くの制御素子を有し、それらの素子を載置する基板も、例えば、液晶表示装置及び各種スイッチ等が載置される操作基板、及びＩＧＢＴ等の各種制御素子が載置される電源基板を有し、これら基板間を電線であるジーゼル線及びフラットケーブル等で接続している。
【０００４】
これら基板に載置される素子は、外部からのノイズにより影響を受け易い。このような弊害をなくすため、従来、図１２に示すものが知られている。この炊飯器は、炊飯器本体１の側部に電源基板２を設け、電源基板２の外方に背面カバー３を設けるものである。
【０００５】
そして、電源基板２と背面カバー３との間に絶縁部材４を設け、更にその外方を不燃性材料のバリア５と防水カバー６で覆い、一端が電源基板２に接続されるフラットケーブル７の他端を、背面カバー３と防水カバー６との間を通して上方に導き、操作基板８に接続している（例えば、特許文献１参照）。
【０００６】
ところで、フラットケーブル（ＦＦＣ）は、絶縁皮膜が薄い。この絶縁皮膜が薄いフラットケーブルを炊飯器の外ケース近傍に配置されるもの（例えば、上記従来例のようなもの）で実験すると、外部からのノイズの影響を受け易く、フラットケーブルがノイズの影響を受けると回路素子に悪影響を及ぼすことが分かった。
【０００７】
また、この外ケースが金属製の場合には、静電気の影響を受け易く、フラットケーブルが静電気の影響を受けると回路素子に悪影響を及ぼすことが分かった。そして、そのような弊害をなくすためには、フラットケーブル等の電線を外ケースより離して設ける必要が生ずるが、そのようにするとフラットケーブルが他の部材に当たり絶縁皮膜が破損したり、炊飯器が大型化するという問題が生じる。
【先行技術文献】
【特許文献】
【０００８】
【特許文献１】特開２０１０−１１９８２３号公報
【発明の概要】
【発明が解決しようとする課題】
【０００９】
本願発明の目的は、外ケースとフラットケーブル等の電線との間に絶縁性を有するカバー部材を設けることにより、電線に対して外部からのノイズ並びに静電気の影響を低減することである。
【課題を解決するための手段】
【００１０】
上記目的を達成するため、本願発明は以下の構成を採用する。
【００１１】
請求項１に係る発明では、外ケースと、前記外ケース内に設けられる内ケースと、前記内ケース内に設けられる内鍋と、前記内鍋を加熱する電磁誘導コイルと、操作基板と、電源基板と、前記操作基板と前記電源基板とを接続する電線を有する炊飯器であって、前記外ケースと前記電線との間に絶縁性を有する樹脂製のカバー部材を有し、前記カバー部材は、前記外ケースに対向し上下方向に伸びる第１壁部と、前記第１壁部の上端から下方で下端から上方の内側面より内方に向かって水平方向に伸びる第２壁部とを有し、前記第２壁部は、上下方向に貫通する貫通孔を有し、前記操作基板と前記電源基板とを前記電線で結ぶ接続時、前記電線は、前記貫通孔を通り、前記貫通孔で係止されるとともに、前記第１壁部の内側を沿うように上下に伸びる構成。
【発明の効果】
【００１４】
請求項１に係る発明では、外ケースと基板間を接続するフラットケーブル等の電線との間に絶縁性を有するカバー部材を設けることにより、フラットケーブル等の電線がノイズ或いは静電気の影響を受ける弊害を防止することができる。その結果、フラットケーブル等の電線を外ケース近傍に配置することができ、炊飯器を小型化できる。
【００１５】
また、カバー部材にフラットケーブル等の電線を止めるための係止部を設けることにより、電線を位置決めすることができる。特に、フラットケーブルは他の部材、例えば、冷却フィン等に当たって絶縁皮膜が破損する恐れを防止或いは低減することができる。
【００１６】
また、カバー部材を冷却ファンまで伸ばして冷却ファンからの冷却風を基板の方向にガイドすることにより、回路素子等の冷却効果をより向上することができる。
【図面の簡単な説明】
【００１７】
【図１】本願発明の炊飯器の全体断面図
【図２】本願発明の炊飯器の底面図
【図３】図２の前方側（図の左側）の一部拡大図
【図４】本願発明のカバー部材の正面図
【図５】本願発明のカバー部材の底面図
【図６】本願発明のカバー部材の背面図
【図７】本願発明の他のカバー部材の底面図
【図８】本願発明の他のカバー部材の背面図
【図９】本願発明の更に他のカバー部材の正面図
【図１０】図９の背面図
【図１１】本願発明の更に他のカバー部材を示す図３と同様の一部拡大図
【図１２】従来例の炊飯器の断面図。
【実施例】
【００１８】
図１は、炊飯器に本願発明を適用した断面図を示し、図２、３は、その底面図及び一部拡大図を示し、図４乃至図６は、カバー部材の正面図、底面図及び背面図を示す。なお、炊飯器は、基板側（図１の左側）を前方側とし、その反対側のヒンジ機構側（図１の右側）を後方側とする。
【００１９】
炊飯器１は、図１に示すように大別して、容器本体２と、該容器本体２の上方に設けられる蓋部材３とを有する。前記蓋部材３は、ポリプロピレン（ＰＰ）等からなる樹脂製で、上部材４、下部材５及び内カバー６を有する。そして上部材４及び下部材５間に形成される内部空間には断熱材７が設けられる。
【００２０】
また、蓋部材３の中央部には、調圧蓋８が設けられる。調圧蓋８内には弁部材９が設けられ、内部の圧力が所定以上になると、弁部材９が解放され、内部の蒸気を調圧蓋８内に形成される蒸気通路１０を介して蒸気口１１より外部に放出する。
【００２１】
更に、蓋部材３の後方側には、既に公知のバネ材を内在したヒンジ機構１２が設けられ、炊飯器１の前方側上部に設けられるロック部材１３を施錠ないし開錠することにより蓋部材３を容器本体２に対して開閉自在にしている。
【００２２】
前記容器本体２は、外壁を形成する外ケース１５、該外ケース１５内にあり内壁を形成する内ケース１６、それら内外ケース１５、１６の上端部を形成する肩部材１７、及び炊飯器１の底部を形成する底部材１８を有している。
【００２３】
前記外ケース１５は、鋼板やステンレス等の金属製で、上下開口の円筒状からなり、炊飯器１の胴部を形成している。前記肩部材１７は、樹脂製等からなり、容器本体２の上端部を形成するとともに、その後方側にはヒンジ機構１２が設けられ、その外周側部には取手１９が設けられる。
【００２４】
容器本体２の内壁を形成する前記内ケース１６は、内鍋２５とほぼ同形状のＷ字状とされ、その底部中央には上方に突き出た突出部２０が形成され、更に突出部２０の中央には温度センサ２１が突き出るためのセンサ貫通孔２２が設けられる。
【００２５】
また、内ケース１６の外周上には、リング状の保温ヒータ２３がアルミシートで張り付けられ、内部に収納される内鍋２５を側部より保温する。そしてこれら外ケース１５及び内ケース１６は、肩部材１７に対して図示しない係止片及び係止溝を用いた無理嵌め手段、及び図示しないビスによって強固に連結固定される。
【００２６】
炊飯器１の底部を形成する底部材１８は、内ケース１６と同様の樹脂製で形成され、外ケース１５に対して図示しない係止片及び係止溝を用いた無理嵌め手段によって取り付けられるとともに、その前方側には、複数の吸気口２４が、その後方側には図示しない排気口が設けられる。
【００２７】
内ケース１６内には内鍋２５が収納される。内鍋２５は、内部に誘起される渦電流が大となる高磁性材料からなる鉄製、或いは磁性ステンレス等から形成するか、或いは、その全体を土鍋製とし、電磁誘導コイルの磁束が当たる底部にのみ表皮抵抗の大きい磁性ステンレスを圧着したり、鉄を溶着して形成したものを用いることができる。
【００２８】
その全体は、内ケース１６と同様の断面Ｗ字状を呈してなり、該内鍋２５を内ケース１６内に収納すると内鍋２５の中央底面が、内ケース１６の底部中央に形成されるセンサ貫通孔２２を介して突出する温度センサ２１の頂部を押圧する。すると該温度センサ２１は、押し下げられ、制御回路を通電し、炊飯器１の加熱制御を可能にする。即ち、内鍋２５を内ケース１６内に収納しなければ、加熱制御が行われないように設定されている。
【００２９】
温度センサ２１は、公知のもので内鍋２５の温度を検知するサーミスタ等を有する。そして、内ケース１６内に飯米等の内容物を入れた内鍋２５を収納し、その上方開口を蓋部材３で閉蓋し、電磁誘導コイルによる誘導加熱が行われる。
【００３０】
前記内ケース１６の下面底部及び側部には、それぞれ底部コイル２６及びコーナーコイル２７からなる電磁誘導コイルが配置され、これら底部コイル２６及びコーナーコイル２７はコイル台２８により固定される。
【００３１】
炊飯器１の前方側上方には、操作パネル２９が設けられ、操作パネル２９の下方近傍には、各種スイッチボタン３０及び表示装置３１等が配置され、基板保持具３２ａに取付けられる操作基板３２が設けられる。
【００３２】
また、炊飯器１の前方側下方には、電源基板３３が立設する形態で取り付けられる。この電源基板３３には、誘導加熱に必要なパワートランジスタ(ＩＧＢＴ)、各種駆動回路等の各種電子回路素子が取り付けられている。これら各種電子回路素子には、例えば前記ＩＧＢＴ等のように発熱する素子がある。そのため、電源基板３３には、これら発熱素子の放熱を助けるためのヒートシンクとしての冷却フィン３４及び該冷却フィン３４を冷却するための冷却ファン３５が取り付けられる。
【００３３】
そしてこれらの操作装置、並びに各種電子回路素子により、前記底部コイル２６、コーナーコイル２７及び保温ヒータ２３が制御され、最適な炊飯並びに保温制御が行われる。
【００３４】
前記冷却ファン３５は、各種電子回路素子等を最適な温度に維持するためのもので、底部材１８の前方で冷却フィン３４の下方に水平に設けられ、その下方の吸気口２４から空気を吸引し、上方並びに側方に排出して操作基板３２、電源基板３３、底部コイル２６及びコーナーコイル２７等を冷却する。
【００３５】
ところで、操作基板３２と電源基板３３は、電線であるジーゼル線及びフラットケーブル３７（ＦＦＣ）等で接続されるが、その接続箇所は外ケース１５の近傍であるとともに、特に、フラットケーブル３７は絶縁皮膜が薄い。そのため、フラットケーブル３７は、外部からのノイズの影響を受け易く、また、この外ケース１５が金属製の場合には、静電気の影響を受け易い。
【００３６】
そのため、図１等に示すように、外ケース１５の近傍に、外ケース１５の内壁に沿う形態でカバー部材４０を設けている。このカバー部材４０は、本体部４１及び取付部４８を一体形成した絶縁性を有する樹脂製部材である。なお、絶縁性能は、電安法やＩＥＣ規格を満たすものがよい。
【００３７】
本体部４１は、１つの中央垂直壁部４１ａ、２つの側部垂直壁部４１ｂ、４１ｂ、２つの前後方向垂直壁部４１ｃ、４１ｃ、１つの中央水平壁部４１ｄ及び２つの側部水平壁部４１ｅ、４１ｅを有する。
【００３８】
中央垂直壁部４１ａは、外ケース１５の前方側の内壁に対向して設けられる部分で、正面視矩形状で、図４に示すようにその下方右側には矩形状の切欠き４２が設けられる。この切欠き４２は、フラットケーブル３７を棒状突起４４に係止し易くするためのものである。
【００３９】
前記側部垂直壁部４１ｂ、４１ｂは、中央垂直壁部４１ａの左右端に外ケース１５の内壁に沿って設けられる部分で、図４に示すように正面視矩形状である。この側部垂直壁部４１ｂ、４１ｂは、図５に示すように中央垂直壁部４１ａに対して同じ鈍角の角度で折れ曲がったような形態で一体形成される。しかし、外ケース１５の内壁に沿うように円弧状の形態で形成してもよい。
【００４０】
前記前後方向垂直壁部４１ｃ、４１ｃは、側部垂直壁部４１ｂ、４１ｂの左右端から後方側に延設される部分で、側面視矩形状であり、その上端には取付部４８が一体に形成される。
【００４１】
前記中央水平壁部４１ｄは、中央垂直壁部４１ａの下方内壁から後方側に延設する形態で設けられる部分で、その両端には、スリット４５、４５が形成される。このスリット４５、４５は、カバー部材４０の左右方向の動きを許容し、カバー部材４０を取り付ける際の取付誤差を吸収するとともに、軽量化に寄与する。
【００４２】
前記側部水平壁部４１ｅ、４１ｅは、中央水平壁部４１ｄの両端に中央水平壁部４１ｄより若干高い位置に一体に設けられ、更には中央垂直壁部４１ａ及び側部垂直壁部４１ｂから後方側に延設し、且つ前後方向垂直壁部４１ｃから左右方向に延設する形態で一体に設けられる部分であり、カバー部材４０の強度を高めている。
【００４３】
そして、図６に示すように左側の側部水平壁部４１ｅの下面には、中央水平壁部４１ｄと側部水平壁部４１ｅ、４１ｅとの高さの差の長さのリブ４３が垂下する形態で左右方向に形成されるとともに、リブ４３の中央より若干スリット４５寄りには、柱状の棒状突起４４がリブ４３を跨ぐようにリブ４３と一体で形成される。
【００４４】
この棒状突起４４は、リブ４３より長く下方に垂下する形態で設けられる。このように、棒状突起４４をリブ４３から垂下する形態で一体に設けることにより、棒状突起４４の強度を高めている。そして、棒状突起４４には、フラットケーブル３７が係止される。
【００４５】
図５に示すように、中央垂直壁部４１ａと、中央水平壁部４１ｄ及び側部水平壁部４１ｅとの間には、２つの貫通孔４６、４６が設けられる。この貫通孔４６、４６は、平面視細長い矩形状であり、フラットケーブル３７が上下方向に挿通され、フラットケーブル３７を外ケース１５の近傍で、外ケース１５に接触することなく係止する。この貫通孔４６、４６は、請求項の係止部に相当する。なお、この２つの貫通孔４６、４６は、お互い連通し、１つの細長い貫通孔４６であってもよい。
【００４６】
前記取付部４８は、図４に示すように本体部４１の両端の上端部に左右方向に張り出す形態で一体に設けられる部分で、水平壁部４８ａ、左右方向垂直リブ４８ｂ及び前後方向垂直リブ４８ｃを有する。
【００４７】
前記水平壁部４８ａ、４８ａは、前後方向垂直壁部４１ｃ、４１ｃの上端部に左右方向に水平に張り出す形態で一体に設けられる部分で、その前方寄りにはそれぞれビス穴４９、４９が設けられる。このビス穴４９、４９は、カバー部材４０を基板保持具３２ａ、或いは肩部材１７にビス止めする際にビスが嵌入する。
【００４８】
前記左右方向垂直リブ４８ｂ、４８ｂ及び前後方向垂直リブ４８ｃ、４８ｃは、水平壁部４８ａの上方に直交する形態で設けられる部分で、一種のリブに相当し、取付部４８の強度を高めている。
【００４９】
カバー部材４０は、上記のような形状をしており、取付部４８のビス穴４９、４９の下方からビスを挿入し、そのビスを基板保持具３２ａ或いは肩部材１７のビスネジに螺合することにより取付けられる。カバー部材４０が取付けられると、カバー部材４０は外ケース１５とフラットケーブル３７との間に介在することになる。
【００５０】
図３に示すように、フラットケーブル３７の一端を電源基板３３に取付けられるコネクタ部３８に接続し、その他端を貫通孔４６に挿入して上方に導出する。上方に導出したフラットケーブル３７の他端は、操作基板３２に設けられる図示しないコネクタ部に接続されることになる。即ち、フラットケーブル３７は、貫通孔４６により位置決めされる。
【００５１】
このようにフラットケーブル３７は、中央垂直壁部４１ａの内側を沿うように上下に伸びることになり、距離的には外ケース１５の近傍に位置することになるが、中央垂直壁部４１ａは絶縁部材であるため、外部からのノイズ、或いは静電気による悪影響が防止される。
【００５２】
このような形態にすると、フラットケーブル３７と底部コイル２６及びコーナーコイル２７との間の距離が長くなるため、フラットケーブル３７は、底部コイル２６及びコーナーコイル２７から発生する雑音の影響を受け難くなる。
【００５３】
また、電源基板３３のコネクタ部３８から伸びるフラットケーブル３７は、貫通孔４６に挿入されるが、貫通孔４６に入るの前に、図３に示すように棒状突起４４に係止される形態で貫通孔４６挿入される。
【００５４】
このようにフラットケーブル３７の一部分を棒状突起４４で係止してフラットケーブル３７を貫通孔４６に挿入することにより、フラットケーブル３７が弛んで他の部材、例えば、冷却フィン３４等に当たってその絶縁被膜が破損する恐れをより低減することができる。即ち、棒状突起４４も貫通孔４６と同様に係止部に相当する。なお、貫通孔４６のみの係止でも上記の作用を奏するが、棒状突起４４を介在させた棒状突起４４との二重係止形態にすればその効果はより高まる。
【００５５】
図７及び図８に棒状突起４４の変形例を示す。なお、図１乃至図６に示すものと共通なものは同じ符号で示す。この例は、棒状突起４４に変えて、棒状突起４４の高さと同じ高さを有する平板状部材５０を用いるものである。図７にその底面図を示し、図８にその背面図を示す。このような平板状部材５０を用いることにより、フラットケーブル３７をより電源基板３３のコネクタ部３８の近傍に寄せて配置することができるため、フラットケーブル３７の弛みをより低減することができる。
【００５６】
図９及び図１０にカバー部材４０の変形例を示す。なお、図１乃至図６に示すものと共通なものは同じ符号で示す。このカバー部材６０は、本体部４１の１つの中央垂直壁部４１ａと、２つの側部垂直壁部４１ｂ、４１ｂとの下端に冷却風ガイド部材６１を一体に設けたものである。図９にその正面図を示し、図８にその背面図を示す。
【００５７】
この冷却風ガイド部材６１は、本体部４１の１つの中央垂直壁部４１ａと、２つの側部垂直壁部４１ｂ、４１ｂとの下端部からそれぞれ同じ長さだけ垂下する形態で一体に形成される絶縁性の部分であり、図１で破線で示すように、冷却ファン３５の近傍まで垂下する形態で伸びており、冷却ファン３５からの冷却風を操作基板３２及び電源基板３３方向にガイドする。また、上記したように、冷却風ガイド部材６１は絶縁性を有しており、フラットケーブル３７等に対するノイズ又は静電気の影響をより低減することができる。
【００５８】
図１１にカバー部材４０の更なる変形例を示す。なお、図１乃至図６に示すものと共通なものは同じ符号で示す。このカバー部材７０は、中央垂直壁部４１ａの両端の側部垂直壁部４１ｂ、４１ｂから、電源基板３３の近傍にまで外ケース１５の内面に沿って側部部材７１、７１を左右方向に伸ばしたものである。即ち、この側部部材７１、７１は、側部垂直壁部４１ｂ、４１ｂの両端に一体に形成される絶縁性の部分である。
【００５９】
このように、カバー部材７０を外ケース１５の前方の幅広い領域に広げて設けることにより、フラットケーブル３７等の電線への弊害だけでなく、他の部品へのノイズ又は静電気による弊害をも低減することができる。
【００６０】
また、このカバー部材７０に、図９及び図１０に示すものと同様な冷却風ガイド部材６１を下方に垂下する形態で一体に形成してもよい。このような形態にすることにより、冷却風を操作基板３２及び電源基板３３方向により効率的にガイドすることができる。
【００６１】
なお、このようなカバー部材４０、６０、７０を、基板保持具３２ａ又は肩部材１７から垂下するようにしてもよく、更には、底部材１８から立設するように形成してもよい。
【００６２】
本願発明は、上記実施例の構成に限定されるものではなく、発明の要旨を逸脱しない範囲において適宜設計変更可能である。
【符号の説明】
【００６３】
１…炊飯器                    ２…容器本体
３…蓋部材                    ４…上部材
５…下部材                    ６…内カバー
７…断熱材                    ８…調圧蓋
９…弁部材                    １０…蒸気通路
１１…蒸気口                  １２…ヒンジ機構
１３…ロック部材              １５…外ケース
１６…内ケース                １７…肩部材
１８…底部材                  １９…取手
２０…突出部                  ２１…温度センサ
２２…センサ貫通孔            ２３…保温ヒータ
２４…吸気口                  ２５…内鍋
２６…底部コイル              ２７…コーナーコイル
２８…コイル台                ２９…操作パネル
３０…スイッチボタン          ３１…表示装置
３２…操作基板                ３２ａ…基板保持具
３３…電源基板                ３４…冷却フィン
３５…冷却ファン              ３７…フラットケーブル
３８…コネクタ部              ４０…カバー部材
４１…本体部                  ４１ａ…中央垂直壁部
４１ｂ…側部垂直壁部          ４１ｃ…前後方向垂直壁部
４１ｄ…中央水平壁部          ４１ｅ…側部水平壁部
４２…切欠き                  ４３…リブ
４４…棒状突起                ４５…スリット
４６…貫通孔                  ４８…取付部
４８ａ…水平壁部              ４８ｂ…左右方向垂直リブ
４８ｃ…前後方向垂直リブ      ４９…ビス穴
５０…平板状部材              ６０…カバー部材
６１…冷却風ガイド部材        ７０…カバー部材
７１…側部部材
【図１】
0005830916.tif 000002
【図２】
0005830916.tif 000003
【図３】
0005830916.tif 000004
【図４】
0005830916.tif 000005
【図５】
0005830916.tif 000006
【図６】
0005830916.tif 000007
【図７】
0005830916.tif 000008
【図８】
0005830916.tif 000009
【図９】
0005830916.tif 000010
【図１０】
0005830916.tif 000011
【図１１】
0005830916.tif 000012
【図１２】
0005830916.tif 000013